【手続補正書】
【提出日】平成23年6月23日(2011.6.23)
【手続補正１】
【補正対象書類名】特許請求の範囲
【補正対象項目名】請求項２４
【補正方法】変更
【補正の内容】
【請求項２４】
輸送コンテナに積み荷を積み込む方法であって、
互いに相対移動可能な、所定の最大積載量を有する前記輸送コンテナと、荷積みアッセンブリーと、を前記荷積みアッセンブリーが前記輸送コンテナの開口端部に近接するように位置決めし、
前記荷積みアッセンブリーは、床と二つの側壁とを含む荷積箱と、
この荷積箱内に配置された水平移動可能な先頭壁を有するバリアアッセンブリーと、
前記荷積箱及び前記バリアアッセンブリーを支持する支持構造と、
を備えており、
前記支持構造は地表支持面に対して固定されたベース支持材を備えており、前記バリアアッセンブリーは前記荷積箱の最大積載量を画定するために前記荷積箱に沿って選択的に位置決め可能であり、前記荷積箱及び前記バリアアッセンブリーはパレット積みでない積み荷を受け入れるための頂部開口を画定するのに共働し、
前記方法は更に、
前記荷積箱に沿って前記バリアアッセンブリーを位置決めすることによって前記所定の最大積載量を画定し、この前記所定の最大積載量を画定する工程は更に、一動作で前記輸送コンテナを前記所定の最大積載量に満たすのに十分な寸法のパレット積みでない積み荷を収容できるような容積になるように前記荷積箱内でこの荷積箱に沿って前記バリアアッセンブリーを位置決めする工程を含んでおり、
前記バリアアッセンブリー及び前記荷積箱によって画定された前記所定の最大積載量までパレット積みでない積み荷を前記荷積箱にその頂部開口を通して荷積みし、
前記パレット積みでない積み荷が前記輸送コンテナ内に置かれるように、荷積みされた前記荷積箱を前記輸送コンテナの開口端部を通してこの輸送コンテナ内に位置決めし、
前記バリアアッセンブリーの前記先頭壁で前記パレット積みでない積み荷を拘束し、同時に、前記荷積箱及び前記輸送コンテナを相対的に位置変更させて前記荷積箱を前記輸送コンテナの前記開口端部の近傍に配置し、これにより前記パレット積みでない積み荷が前記輸送コンテナ内に配置されて留まるようにし、
前記荷積みアッセンブリーは更に、前記荷積箱の前記位置決め工程の間に前記輸送コンテナ内に前記荷積箱を移動し、前記拘束工程の間に前記輸送コンテナから前記荷積箱を引き出すように動作するドライブ機構を備えており、
前記荷積箱の前記位置決め工程は、前記パレット積みでない積み荷が完全に前記輸送コンテナに配置されるまで前記荷積箱を前記開口端部を通して前記輸送コンテナの中へ移動するように前記ドライブ機構を動作させる工程を含み、その間前記輸送コンテナは静止状態を保っており、
前記拘束工程は、前記バリアアッセンブリーを前記支持構造に拘束させ、前記輸送コンテナの前記開口端部の近傍に前記バリアアッセンブリーを固定する工程を含み、
前記拘束工程が、更に、前記ドライブ機構を、前記バリアアッセンブリーに前記パレット積みでない積み荷の拘束状態を維持させながら、このパレット積みでない積み荷が前記輸送コンテナ内に残るように、前記荷積箱を前記輸送コンテナから引き出すように作動させる工程を含むことを特徴とする方法。
【手続補正２】
【補正対象書類名】特許請求の範囲
【補正対象項目名】請求項２６
【補正方法】変更
【補正の内容】
【請求項２６】
開口端部と所定の積載量とを有する輸送コンテナと共に使用される荷積みアッセンブリーであって、
前記輸送コンテナの外側の引き出された位置から前記輸送コンテナの内側の挿入された位置まで前記輸送コンテナの開口端部を通過して挿入される寸法の荷積箱であって、床と、二つの側壁と、前記輸送コンテナの外側の引き出された位置と前記輸送コンテナの内側の挿入された位置との間での前記荷積箱の移動を容易にするように構成され、前記床の下に配置された移動補助装置（ローラ）と、を備えた荷積箱と、
前記荷積箱内に配置されこの荷積箱に対して相対的に可動な先頭壁を含む、バリアアッセンブリーと、を備えており、
前記荷積箱と前記バリアアッセンブリーとで一動作で前記輸送コンテナを前記所定の積載量に満たすのに十分な寸法のバルク材を収容できるような、前記所定の積載量に等しい容積を画定するのに共働し、更に前記荷積箱及び前記バリアアッセンブリーは前記バルク材を受け入れるための頂部開口を画定するのに共働し、
前記荷積箱と前記バリアアッセンブリーとを支持する支持構造であって、少なくとも荷積みアッセンブリーの動作中に輸送コンテナに対して固定される支持構造を更に備えており、前記移動補助装置は前記引き出された位置と前記挿入された位置との間の前記荷積箱の移動の間にこの荷積箱の移動を補助し、
前記荷積箱及び前記輸送コンテナの一方を拘束するように構成され、前記挿入された位置と前記引き出された位置との間で前記輸送コンテナと前記支持構造とに対して前記荷積箱を相対的に位置決めし、移動するように作動する、ドライブ機構を更に備えており、挿入は前記荷積箱が前記輸送コンテナ内に置かれるように前記輸送コンテナの前記開口端部を通して生じ、引き出しは前記荷積箱を前記輸送コンテナから離脱させるように生じ、前記ドライブ機構は、液圧シリンダーと、前記液圧シリンダーと荷積箱とに連結されたケーブルアッセンブリーとを備えており、
前記バリアアッセンブリーは、前記荷積箱が前記輸送コンテナ内に位置しているときに前記先頭壁を前記輸送コンテナの開口端部の近傍でこの輸送コンテナに対して固定位置に固定し、前記ドライブ機構がその後前記荷積箱を前記挿入された位置から前記引き出された位置に移動させたとき、前記バリアアッセンブリーの前記先頭壁が前記バルク材を前記輸送コンテナ内に留めるように構成されたことを特徴とする荷積みアッセンブリー。
【手続補正３】
【補正対象書類名】特許請求の範囲
【補正対象項目名】請求項３５
【補正方法】変更
【補正の内容】
【請求項３５】
開口端部と所定の積載量とを有する輸送コンテナと共に使用される荷積みアッセンブリーであって、
前記輸送コンテナの外側の引き出された位置から前記輸送コンテナの内側の挿入された位置まで前記輸送コンテナの開口端部を通過して挿入される寸法の荷積箱であって、床と、二つの側壁と、前記輸送コンテナの外側の引き出された位置と前記輸送コンテナの内側の挿入された位置との間での前記荷積箱の移動を容易にするように構成され、前記床の下に配置された移動補助装置と、を備えた荷積箱と、
前記荷積箱内に配置されこの荷積箱に対して相対的に可動な先頭壁を有する、バリアアッセンブリーと、を備えており、
前記荷積箱と前記バリアアッセンブリーとで一動作で前記輸送コンテナを前記所定の積載量に満たすのに十分な寸法のバルク材を収容できるような、前記所定の積載量に等しい容積を画定するのに共働し、更に前記荷積箱及び前記バリアアッセンブリーは前記バルク材を受け入れるための頂部開口を画定するのに共働し、
前記荷積みアッセンブリーは更に、前記荷積箱と前記バリアアッセンブリーとを支持する支持構造を備えており、この支持構造は少なくとも荷積みアッセンブリーの動作中に支持面に対して固定され、前記移動補助装置は前記引き出された位置と前記挿入された位置との間の前記荷積箱の移動の間にこの荷積箱の床の移動を補助し、
前記荷積みアッセンブリーは更に、前記荷積箱及び前記輸送コンテナの一方を拘束するように構成され、前記挿入された位置と前記引き出された位置との間で前記輸送コンテナと前記支持構造とに対して前記荷積箱を相対的に位置決めし、移動するように作動する、ドライブ機構を備えており、挿入は前記荷積箱が前記輸送コンテナ内に置かれるように前記輸送コンテナの前記開口端部を通して生じ、引き出しは前記荷積箱を前記輸送コンテナから離脱させるように生じ、
前記バリアアッセンブリーは、前記荷積箱が前記輸送コンテナ内に位置しているときに前記先頭壁を前記輸送コンテナの開口端部の近傍でこの輸送コンテナに対して固定位置に固定し、前記ドライブ機構がその後前記荷積箱を前記挿入された位置から前記引き出された位置に移動させたとき、前記バリアアッセンブリーの前記先頭壁が前記バルク材を前記輸送コンテナ内に留めるように構成されたことを特徴とする荷積みアッセンブリー。